(57)【要約】【課題】プラグとコネクタ部が不完全接続状態になることを防いで使用中の導通不良の発生を防止する。【解決手段】コネクタ部４に設けられている被係合部４０ｂがコネクタ部４の結合向き（図１における下向き）に沿った手前側及び奥側の側面が傾斜する三角柱状に形成されている。故に、プラグ８に設けられている係合爪８３ｃと被係合部４０ｂとが係合しない不完全接続状態においては、被係合部４０ｂの手前側の側面（図１における上側の側面）に摺接している係合爪８３ｃに反接続向き（図１における上向き）の力がはたらいてコネクタ部４から離れる向きにプラグ８が移動する。このため、プラグ８とコネクタ部４の接続が解除されて不完全接続状態が自動的に解消されることになる。【選択図】図１
2008047359.tif 000002
【特許請求の範囲】
【請求項１】
絶縁材料により一面が開口した有底筒状に形成された器体と、器体の開口面を塞ぐカバーと、器体の外底面より突出して引掛シーリングボディと着脱可能に嵌合する一対の引掛刃と、これら一対の引掛刃と導通するとともにカバーに設けられた開口を通して外部に露出し照明器具に給電するためのプラグが抜き差し自在に接続されるコネクタ部と、器体周面に設けられた窓孔より進退自在に突出し器体周面から突出している状態で照明器具に設けられている被係止部と係脱自在に係止する複数の係止部材と、各係止部材を器体外へ進出させる向きに弾性付勢する付勢手段と、付勢手段の弾性力に抗して各係止部材を器体内に退避させる向きに移動させる移動手段とを備え、天井に配設されている引掛シーリングボディに照明器具を電気的且つ機械的に取り付けるための引掛シーリングアダプタであって、
コネクタ部は、一対の引掛刃と各々導通し且つ器体底面より開口面側へ立ち上がる一対のコンタクトと、一対のコンタクトを囲むように器体底面より立設された筒状の嵌合体と、嵌合体の側面より突出する被係合部とを具備し、
プラグは、絶縁性を有する合成樹脂成形品からなりコネクタ部の嵌合体と嵌合するプラグ本体と、プラグ本体内に収納されてコネクタ部のコンタクトとそれぞれ接触導通する一対のコンタクト受けと、コンタクト受けがコンタクトと接触導通している状態でコネクタ部の被係合部に係合する係合爪とを具備し、
被係合部は、嵌合体とプラグ本体の嵌合向きに沿った側面が傾斜する三角柱状に形成されていることを特徴とする引掛シーリングアダプタ。
【請求項２】
絶縁材料により一面が開口した有底筒状に形成された器体と、器体の開口面を塞ぐカバーと、器体の外底面より突出して引掛シーリングボディと着脱可能に嵌合する一対の引掛刃と、これら一対の引掛刃と導通するとともにカバーに設けられた開口を通して外部に露出し照明器具に給電するためのプラグが抜き差し自在に接続されるコネクタ部と、器体周面に設けられた窓孔より進退自在に突出し器体周面から突出している状態で照明器具に設けられている被係止部と係脱自在に係止する複数の係止部材と、各係止部材を器体外へ進出させる向きに弾性付勢する付勢手段と、付勢手段の弾性力に抗して各係止部材を器体内に退避させる向きに移動させる移動手段とを備え、天井に配設されている引掛シーリングボディに照明器具を電気的且つ機械的に取り付けるための引掛シーリングアダプタであって、
コネクタ部は、一対の引掛刃と各々導通し且つ器体底面より開口面側へ立ち上がる一対のコンタクトと、一対のコンタクトを囲むように器体底面より立設された筒状の嵌合体と、嵌合体の側面より突出する被係合部とを具備し、
プラグは、絶縁性を有する合成樹脂成形品からなりコネクタ部の嵌合体と嵌合するプラグ本体と、プラグ本体内に収納されてコネクタ部のコンタクトとそれぞれ接触導通する一対のコンタクト受けと、コンタクト受けがコンタクトと接触導通している状態でコネクタ部の被係合部に係合する係合爪と、カバー表面を支点として嵌合体との反嵌合向きにプラグ本体を弾性付勢する弾性部材とを具備したことを特徴とする引掛シーリングアダプタ。
【請求項３】
請求項１又は２の引掛シーリングアダプタと、引掛シーリングアダプタの係止部材が係脱自在に係止する被係止部が設けられた器具本体と、プラグを介してランプに給電するためのソケットとを備えたことを特徴とする照明器具。
【発明の詳細な説明】
【技術分野】
【０００１】
本発明は、天井に配設された引掛シーリングボディに照明器具を電気的且つ機械的に取り付けるための引掛シーリングアダプタ並びに照明器具に関するものである。
【背景技術】
【０００２】
従来より、天井に配設された引掛シーリングボディに照明器具を電気的且つ機械的に取り付けるための引掛シーリングアダプタが提供されている（例えば、特許文献１参照）。
【０００３】
特許文献１に記載されている従来の引掛シーリングアダプタは、図１２及び図１３に示すように絶縁材料（合成樹脂）により下面が開口した有底円筒状に形成された器体１００と、器体１００の開口面を塞ぐカバー１３０と、器体１００の外底面に設けられた凹所１１１内にねじ止めされて引掛シーリングボディ（図示せず）と着脱可能に嵌合する一対の引掛刃１０３，１０３と、これら一対の引掛刃１０３，１０３と導通するとともにカバー１３０の中央に設けられた開口１３３を通して外部に露出し照明器具に給電するためのプラグ（図示せず）が抜き差し自在に接続されるコネクタ部１０９と、器体１００周面に設けられた溝１１４より進退自在に突出し器体１００周面から突出している状態で照明器具に設けられている被係止部（図示せず）と係脱自在に係止する一対の係止部材１０７，１０７と、各係止部材１０７を器体１００外へ進出させる向きに弾性付勢する一対のコイルばね１２３，１２３と、コイルばね１２３，１２３の弾性力に抗して各係止部材１０７，１０７を器体１００内に退避させる向きに移動させる移動手段とを備えている。ここで、移動手段は係止部材１０７と一体に形成されてカバー１３０の操作孔１３２，１３２を通して突出する操作片１０８，１０８からなり、これら一対の操作片１０８，１０８を同時に外側に押し広げるように操作することで溝１１４，１１４から突出している係止部材１０７，１０７を器体１００内に退避させて照明器具を取り外すことができる。
【０００４】
コネクタ部１０９は、引掛刃１０３，１０３と一体に形成されて器体１００底面から器体１００内に挿入されている一対のコンタクト（図示せず）と、コンタクトを囲むように器体１００の底面から立設された筒状の嵌合体１０９ａと、筒状であって嵌合体１０９ａの側方に設けられプラグが具備する係合爪が挿入されたときに当該係合爪を係止してプラグを抜け止めする被係合部１０９ｂとを具備している。ここで、プラグとコネクタ部１０９とは、係止部材１０７，１０７が被係止部に確実に係止して照明器具が固定された状態でないと接続できないようにするために、器体１００内に退避している状態でコネクタ部１０９が具備する被係合部１０９ｂの挿入孔を塞ぐ規制片１１０が係止部材１０７に設けられている。すなわち、係止部材１０７，１０７が器体１００から進出して照明器具の被係止部に確実に係止されている状態でなければ、プラグの係合爪が被係合部１０９ｂに挿入できないためにプラグがコネクタ部１０９と接続できないようになっている。
【特許文献１】特許第３５６３９００号公報
【発明の開示】
【発明が解決しようとする課題】
【０００５】
ところが上記従来例においては、プラグの係合爪が被係合部１０９ｂと係合していない接続状態（以下、「不完全接続状態」と呼ぶ。）であっても作業者に分かりづらい。そのため、コネクタ部１０９とプラグが不完全接続状態のままで使用され、使用中に振動等によってプラグがコネクタ部１０９から外れて導通不良を起こす虞があった。
【０００６】
本発明は上記事情に鑑みて為されたものであり、その目的は、プラグとコネクタ部が不完全接続状態になることを防いで使用中の導通不良の発生が防止できる引掛シーリングアダプタ並びに照明器具を提供することにある。
【課題を解決するための手段】
【０００７】
請求項１の発明は、上記目的を達成するために、絶縁材料により一面が開口した有底筒状に形成された器体と、器体の開口面を塞ぐカバーと、器体の外底面より突出して引掛シーリングボディと着脱可能に嵌合する一対の引掛刃と、これら一対の引掛刃と導通するとともにカバーに設けられた開口を通して外部に露出し照明器具に給電するためのプラグが抜き差し自在に接続されるコネクタ部と、器体周面に設けられた窓孔より進退自在に突出し器体周面から突出している状態で照明器具に設けられている被係止部と係脱自在に係止する複数の係止部材と、各係止部材を器体外へ進出させる向きに弾性付勢する付勢手段と、付勢手段の弾性力に抗して各係止部材を器体内に退避させる向きに移動させる移動手段とを備え、天井に配設されている引掛シーリングボディに照明器具を電気的且つ機械的に取り付けるための引掛シーリングアダプタであって、コネクタ部は、一対の引掛刃と各々導通し且つ器体底面より開口面側へ立ち上がる一対のコンタクトと、一対のコンタクトを囲むように器体底面より立設された筒状の嵌合体と、嵌合体の側面より突出する被係合部とを具備し、プラグは、絶縁性を有する合成樹脂成形品からなりコネクタ部の嵌合体と嵌合するプラグ本体と、プラグ本体内に収納されてコネクタ部のコンタクトとそれぞれ接触導通する一対のコンタクト受けと、コンタクト受けがコンタクトと接触導通している状態でコネクタ部の被係合部に係合する係合爪とを具備し、被係合部は、嵌合体とプラグ本体の嵌合向きに沿った側面が傾斜する三角柱状に形成されていることを特徴とする。
【０００８】
請求項２の発明は、上記目的を達成するために、絶縁材料により一面が開口した有底筒状に形成された器体と、器体の開口面を塞ぐカバーと、器体の外底面より突出して引掛シーリングボディと着脱可能に嵌合する一対の引掛刃と、これら一対の引掛刃と導通するとともにカバーに設けられた開口を通して外部に露出し照明器具に給電するためのプラグが抜き差し自在に接続されるコネクタ部と、器体周面に設けられた窓孔より進退自在に突出し器体周面から突出している状態で照明器具に設けられている被係止部と係脱自在に係止する複数の係止部材と、各係止部材を器体外へ進出させる向きに弾性付勢する付勢手段と、付勢手段の弾性力に抗して各係止部材を器体内に退避させる向きに移動させる移動手段とを備え、天井に配設されている引掛シーリングボディに照明器具を電気的且つ機械的に取り付けるための引掛シーリングアダプタであって、コネクタ部は、一対の引掛刃と各々導通し且つ器体底面より開口面側へ立ち上がる一対のコンタクトと、一対のコンタクトを囲むように器体底面より立設された筒状の嵌合体と、嵌合体の側面より突出する被係合部とを具備し、プラグは、絶縁性を有する合成樹脂成形品からなりコネクタ部の嵌合体と嵌合するプラグ本体と、プラグ本体内に収納されてコネクタ部のコンタクトとそれぞれ接触導通する一対のコンタクト受けと、コンタクト受けがコンタクトと接触導通している状態でコネクタ部の被係合部に係合する係合爪と、カバー表面を支点として嵌合体との反嵌合向きにプラグ本体を弾性付勢する弾性部材とを具備したことを特徴とする。
【０００９】
請求項３の発明は、上記目的を達成するために、請求項１又は２の引掛シーリングアダプタと、引掛シーリングアダプタの係止部材が係脱自在に係止する被係止部が設けられた器具本体と、プラグを介してランプに給電するためのソケットとを備えたことを特徴とする。
【発明の効果】
【００１０】
請求項１の発明によれば、コネクタ部に設けられている被係合部は、コネクタ部の結合向きに沿った側面が傾斜する三角柱状に形成されているので、コネクタ部に設けられている被係合部とプラグに設けられている係合爪とが係合しない不完全接続状態においては、被係合部の側面に摺接している係合爪に反接続向きの力がはたらいてコネクタ部から離れる向きにプラグが移動するため、プラグとコネクタ部の接続が解除されて不完全接続状態が自動的に解消されることになる。その結果、プラグとコネクタ部が不完全接続状態になることを防いで使用中の導通不良の発生が防止可能な引掛シーリングアダプタが提供できる。
【００１１】
請求項２の発明によれば、コネクタ部に設けられている被係合部とプラグに設けられている係合爪とが係合しない不完全接続状態においては弾性部材の弾性力によってコネクタ部から離れる向きにプラグ本体が移動するため、プラグとコネクタ部の接続が解除されて不完全接続状態が自動的に解消されることになる。その結果、プラグとコネクタ部が不完全接続状態になることを防いで使用中の導通不良の発生が防止可能な引掛シーリングアダプタが提供できる。
【００１２】
請求項３の発明によれば、プラグとコネクタ部が不完全接続状態になることを防いで使用中の導通不良の発生が防止可能な照明器具が提供できる。
【発明を実施するための最良の形態】
【００１３】
以下、図面を参照しながら本発明の実施形態を詳細に説明する。
【００１４】
（実施形態１）
本実施形態の引掛シーリングアダプタは、図１及び図２に示すように、絶縁性を有する合成樹脂材料により一面が開口した有底円筒状に形成された器体１と、器体１の開口面（図２における下面）を塞ぐカバー２と、器体１の外底面より突出して引掛シーリングボディ（図示せず）と着脱可能に嵌合する一対の引掛刃３，３と、これら一対の引掛刃３，３と導通するとともにカバー２の中央に設けられた開口部２０を通して外部に露出し照明器具（光源が蛍光ランプの場合は安定器）に給電するためのプラグ８が抜き差し自在に接続されるコネクタ部４と、器体１周面に設けられた窓孔１２，１２より進退自在に突出し器体１周面から突出している状態で照明器具（実際は器具本体に取り付けられるホルダ）に設けられている被係止部と係脱自在に係止する一対の係止部材５，５と、各係止部材５を器体１外へ進出させる向きに弾性付勢する付勢手段と、付勢手段の弾性力に抗して各係止部材５，５を器体１内に退避させる向きに移動させる移動手段とを備えている。
【００１５】
器体１は、円板状の底板１０と、底板１０の周縁より立ち上がる円筒形の周壁１１とが一体に形成された合成樹脂成形品からなる。周壁１１において底板１０の中心を挟んで対向する部位には平面視略矩形の一対の窓孔１２，１２が開口し、当該部位のみ底板１０からの高さが高くなっている。また、周壁１１において底板１０の周方向に沿った窓孔１２，１２の両側面からは、互いに平行となるように内側に突出して係止部材５，５をガイドするガイド片１３，１３が各々設けられている（図４参照）。
【００１６】
また、底板１０の中央には角筒状の嵌合体４０が立設されており、この嵌合体４０の内側に一対のコンタクト４１，４１が収納されてコネクタ部４を構成している。コンタクト４１，４１は幅細の矩形板状であって、それぞれ矩形板状の固定片４２，４２を介して引掛刃３，３と一体に形成されている（以下、引掛刃３と固定片４２とコンタクト４１が一体に形成された部材を端子板と呼ぶ。）。固定片４２，４２にはねじ挿通孔４２ａが貫設され、タッピングねじからなる固定ねじ４３，４３によって固定片４２，４２が器体１の底板１０に固定される。底板１０には嵌合体４０を挟んで点対称の位置に一対の孔１０ａ，１０ａが設けられており、これらの孔１０ａ，１０ａを通して引掛刃３，３が底板１０の外側に突出する。そして、コンタクト４１，４１は、嵌合体４０の側面に設けられている一対の縦溝４０ａ，４０ａを通して嵌合体４０の中に導入され、嵌合体４０の内部で底板１０と略垂直に立ち上がっている（図３参照）。
【００１７】
また、底板１０の周端部には、窓孔１２，１２の対向方向（図４における左右方向）と直交する方向（図４における上下方向）において嵌合体４０を挟んで対向するように一対のボス部１４，１４が立設されている。ボス部１４は、略円柱形状であって軸方向中央には縦穴１４ａが穿孔されている。つまり、カバー２に設けられているねじ挿通孔２１，２１にタッピングねじからなる取付ねじ１４ｂ，１４ｂを挿通しボス部１４，１４の縦穴１４ａ，１４ａに螺合することでカバー２と器体１が結合されるのである。
【００１８】
係止部材５は、窓孔１２を通り抜け可能な寸法に形成された本体部５０と、本体部５０における嵌合体４０との対向面より突出する突部５１とが一体に形成された合成樹脂成形品からなる。本体部５０は、窓孔１２と対向する面（先端面）が周壁１１の曲率半径と略等しい曲率半径を有する円弧状に形成されるとともに、カバー２側の部位（図２における下側半分の部位）が径方向に突出してなる係止爪５０ａを備えている。また本体部５０は、底板１０側の面（図３における下面）における周方向中央に、径方向に沿った幅細の溝５０ｂが形成されている（図３参照）。一方、器体１の底板１０には溝５０ｂに嵌合するガイドリブ１５，１５が嵌合体４０を挟んで対称な位置に突設されており、ガイドリブ１５が溝５０ｂに嵌合した状態で係止部材５が溝５０ｂの長手方向に沿って移動自在に器体１内に収納される。ここで、ガイドリブ１５は底板１０の中心に向かって底板１０から離れる向きに傾斜した略三角形状に形成されているので、周壁１１の外側から係止部材５を窓孔１２に挿入すると、突部５１が斜面に沿ってガイドリブ１５を乗り越えて溝５０ｂにガイドリブ１５が嵌合することになる。ここで、後述するように移動部材７の被係合片７０が周壁１１の内周面に当接することにより、窓孔１２から器体１外へ進出する向きにおける係止部材５の移動が規制されるとともに（図３参照）、突部５１が嵌合体４０の縦溝４０ａ側の側面に当接することにより、窓孔１２から器体１内に退避する向きにおける係止部材５の移動が規制される。その結果、係止部材５は、係止爪５０ａが周壁１１より外側に突出する位置と周壁１１より外側に突出しない位置との間で移動可能となっている。
【００１９】
付勢手段は、図４（ａ）に示すように両端部が各々係止部材５，５のばね係止部５３，５３に係止されるとともに、器体１の一方のボス部１４に円筒形の中央部６０が外挿されるねじりばね６からなる。更に詳しく説明すると、係止部材５には、本体部５０と突部５１との間に凹部５２が形成されるとともに凹部５２の本体部５０側の側面から突起状のばね係止部５３が突設されている。すなわち、ねじりばね６のばね片６１，６１の先端部が凹部５２の底面との間でばね係止部５３に係止され、外側に開こうとするばね片６１，６１の弾性力によって係止部材５，５が窓孔１２，１２から進出する向きに弾性付勢されることになる。ここで、図４に示すように前記一方のボス部１４の根元に底板１０から立ち上がる一対の規制リブ１６，１６が突設されており、これら一対の規制リブ１６，１６によって中央部６０が器体１の底板１０側、つまり、ボス部１４への外挿向きにのみ位置規制される。
【００２０】
而して、係止部材５，５が退避向きに移動するときにねじりばね６のばね片６１，６１が撓むことで中央部６０がボス部１４の軸方向に移動しようとするが、底板１０側には規制リブ１６，１６で位置規制されているためにボス部１４の先端向きに僅かに移動し、縮径した中央部６０がボス部１４の外側周面に当接してバランスを取る形で位置決めされる。このとき、ばね片６１，６１も中央部６０とともに底板１０から離れる向きに移動するため、係止部材５，５と底板１０との間に作用する摩擦力が減少して係止部材５，５をスムースに移動させることができる。
【００２１】
次に、ねじりばね６の弾性力に抗して係止部材５，５を退避向きに移動させる移動手段たる移動部材７，７について説明する。
【００２２】
移動部材７は合成樹脂成形品からなり、カバー２と対向する係止部材５の前面（図２における下面）に突設された係合突部５４に対して係止部材５の移動方向（図３における左右方向）で係合する被係合片７０と、カバー２を通して外部に突出する操作部７１と、被係合片７０と操作部７１を連結する連結片７２とが一体となって平面視略Ｃ字状に形成されている。被係合片７０は、操作部７１と対向する内側面に平面視略半円形の係合凹所７３が設けられている。操作部７１は、矩形平板状であって連結片７２に対してカバー２側（図１（ａ）における上向き）に立ち上がるように突出している。また、図３に示すように操作部７１には、係止部材５の突部５１前面（図２における下面）に突設されている突条部５１ａと嵌合する嵌合溝７１ａが設けられている。
【００２３】
一方、係止部材５の本体部５０においては、カバー２側の面（図４における上面）に被係合片７０の外形と略同形状の嵌合凹所５０ｃが形成されるとともに、被係合片７０の係合凹所７３と係合する係合突部５４が嵌合凹所５０ｃの底面端部に突設されている。
【００２４】
而して、移動部材７は、図４（ｂ）に示すように一方の係止部材５における本体部５０の係合凹所５０ｃに被係合片７０を嵌めることで係合凹所７３を本体部５０の係合突部５４に係合させるとともに、他方の係止部材５における突部５１の突条部５１ａに操作部７１の嵌合溝７１ａを嵌合させるようにして器体１内に収納される。ここで、２つの移動部材７，７は互いに同一形状、同一寸法であるが、各々の連結片７２，７２が、嵌合体４０と２つのボス部１４，１４との間の空間に振り分けて配置されることで互いに干渉することはない。操作部７１，７１は、開口部２０の両側に開口部２０と連通するようにカバー２に貫設されている一対の操作孔２２，２２を通して器体１の外に露出している。したがって、操作部７１，７１を手で外側に押し操作すれば、移動部材７，７が器体１の底板１０に沿って平行移動し、被係合片７０，７０に係合している係止部材５，５をねじりばね６の弾性力に抗して退避向きに移動させることができる。
【００２５】
プラグ８は、照明器具の安定器（図示せず）と接続されている２心の給電線２００の先端に取り付けられており、絶縁性を有する合成樹脂成形品からなるプラグ本体８０と、プラグ本体８０内に収納されてコネクタ部４のコンタクト４１，４１とそれぞれ接触導通する一対のコンタクト受け８１，８１と、コネクタ部４と接続されている状態で各係止部材５，５の突部５１，５１と対向するプラグ本体８０の側面に突設された一対のストッパ部８２，８２とを具備している（図１参照）。プラグ本体８０は、嵌合体４０内に挿入可能な寸法であり且つ扁平な矩形箱状に形成され、隔壁８０ｂによって内部が二分されている。そして、二分された一対の収納室８０ａ，８０ａ内に金属板を筒状に曲げ加工してなるコンタクト受け８１，８１がそれぞれ収納される。コンタクト受け８１，８１は、一端側に給電線２００の導体２００ａ，２００ａが各々接合され、他端側にコンタクト４１，４１が挿抜自在に差し込まれて導通する（図１参照）。ストッパ部８２，８２は、嵌合体４０の縦溝４０ａ，４０ａよりも幅細の矩形板状であって、コネクタ部４に接続された状態で係止部材５，５の突部５１，５１と対向するプラグ本体８０の両側面に突設されている。また、プラグ本体８０においてストッパ部８２，８２が突設されていない側面にはロック部８３が設けられている。このロック部８３は、図１に示すように各々一端側でプラグ本体８０に連結されている一対の支持片８３ａ，８３ａと、これら一対の支持片８３ａ，８３ａの他端側に揺動自在に支持された棒状のロック片８３ｂと、ロック片８３ｂの先端からプラグ本体８０側へ突出する係合爪８３ｃとがプラグ本体８０に一体に形成されてなる。一方、コネクタ部４の嵌合体４０においては、係止部材５，５と対向しない側面に各々プラグ８の係合爪８３ｃが択一的に係合する被係合部４０ｂ，４０ｂが突設されている。また、カバー２においては、プラグ８のロック部８３を逃げるための逃げ孔２３，２３が開口部２０に連通する形で開口部２０を挟む位置に貫設されている。尚、係合爪８３ｃには、先端から後端側に向かって徐々に突出量が増えるような傾斜面が形成されている。また被係合部４０ｂは、嵌合体４０とプラグ本体８０の嵌合向き（図１における下向き）に沿った側面が、下方に向かって徐々に突出量が増えるように傾斜する三角柱状に形成されている。
【００２６】
ところで、本実施形態の引掛シーリングアダプタは、従来例と同様に引掛シーリングボディに対するロック機構を備えている。このロック機構は、底板１０を貫通する挿通孔（図示せず）から進退自在に突出するロック爪９０ａを先端に有する可動体９０と、ロック爪９０ａが突出する向きに可動体９０を弾性付勢するコイルばね９１と、コイルばね９１の弾性力に抗してロック爪９０ａが挿通孔内に退避する向きに可動体９０を移動させるロック解除釦９２とで構成される。ロック解除釦９２の操作部９２ａが器体１の周壁１１に設けられた切り欠き溝１１ａを通して露出しており、操作部９２ａを周壁１１内へ押し込むように操作することで可動体９０が移動し、ロック爪９０ａが挿通孔内に退避して引掛シーリングボディとのロック状態が解除される。尚、かかるロック機構については、従来周知であるから詳細な説明は省略する。
【００２７】
上述のように構成される本実施形態の引掛シーリングアダプタは、次のような手順で組み立てられる。
【００２８】
最初に固定ねじ４３，４３によって一対の端子板を器体１の底板１０にねじ止めした後、周壁１１の窓孔１２，１２を通して係止部材５，５を器体１内に挿入して本体部５０，５０の溝５０ｂに各々底板１０のガイドリブ１５，１５を嵌合させる。続いて、中央部６０をボス部１４に外挿した後にばね片６１，６１の先端部を係止部材５，５のばね係止部５３，５３に係止してねじりばね６を器体１内に収納する。さらに、一方の係止部材５における本体部５０の係合凹所５０ｃに被係合片７０を嵌めることで係合凹所７３を本体部５０の係合突部５４に係合させるとともに、他方の係止部材５における突部５１の突条部５１ａに操作部７１の嵌合溝７１ａを嵌合させるようにして、移動部材７，７を器体１内に収納する。そして、可動体９０とコイルばね９１とロック解除釦９２からなるロック機構を器体１内に収納した後、カバー２のねじ挿通孔２１，２１に挿通した取付ねじ１４ｂ，１４ｂを器体１のボス部１４，１４の縦穴１４ａ，１４ａに螺合することでカバー２を器体１に結合すれば、本実施形態の引掛シーリングアダプタが完成する。
【００２９】
上述のように本実施形態では、一方向から全ての部品を器体１に組み付けることができるので、引掛刃を器体の外底面にねじ止めしていた従来例に比較して組立性が向上するという利点がある。しかも、一対の係止部材５，５並びに移動部材７，７が各々同一部品でよいから、部品の品種削減によるコストダウンと組立性向上が図れる。
【００３０】
本実施形態の引掛シーリングアダプタを備えた照明器具は、図１１に示すように器具本体（図示せず）にホルダ２１０が取り付けられている。このホルダ２１０は、平面視長円形状の合成樹脂成形品からなり、中央に開口する円形の取付孔２１１に引掛シーリングアダプタが取り付けられる。ホルダ２１０の上面における取付孔２１１の周縁には円環状のリブ２１２が突設されている。リブ２１２の内径は器体１の外形よりも僅かに大きい寸法であって、リブ２１２の先端部には、鉛直下方に向かって内側へ傾斜する傾斜面２１２ａが形成されている。また、ホルダ２１０の下面における取付孔２１１の周縁には、係止部材５，５の係止爪５０ａ，５０ａが係止する円環状の被係止部２１３が設けられている。
【００３１】
而して、引掛シーリングアダプタを天井の引掛シーリングボディに取り付けた後、ホルダ２１０の取付孔２１１に引掛シーリングアダプタの器体１を挿入するように器具本体を押し上げれば、リブ２１２先端部の傾斜面に係止爪５０ａ，５０ａが当接して係止部材５，５が退避向きに移動し、やがてリブ２１２を乗り越えた係止爪５０ａ，５０ａが被係止部２１３に係止して引掛シーリングアダプタに器具本体が固定される。その後、引掛シーリングアダプタのコネクタ部４にプラグ８を接続すれば、引掛シーリングアダプタに対する照明器具の機械的及び電気的な取付が完了する。
【００３２】
ここで、引掛シーリングアダプタのコネクタ部４にプラグ８を接続する際の動作についてさらに詳しく説明する。プラグ本体８０を嵌合体４０内に挿入すると、コネクタ部４のコンタクト４１，４１がプラグ８のコンタクト受け８１，８１と接触する前に、係合爪８３ｃが被係合部４０ｂに当接し且つ互いの傾斜面に案内されてロック片８３ｂが撓み（図５参照）、係合爪８３ｃが被係合部４０ｂの頂点を乗り越える少し手前でコンタクト４１，４１とコンタクト受け８１，８１が接触し始める（図６参照）。さらにプラグ本体８０を押し込んで係合爪８３ｃが被係合部４０ｂを乗り越えると、被係合部４０ｂの奥側の傾斜面（図１における下側の傾斜面）を滑り降りるようにして係合爪８３ｃが前方へ移動して被係合部４０ｂと係合し、コネクタ部４に対してプラグ８が抜け止めされる（図１参照）。
【００３３】
而して、コネクタ部４に設けられている被係合部４０ｂがコネクタ部４の結合向き（図１における下向き）に沿った手前側及び奥側の側面が傾斜する三角柱状に形成されているので、プラグ８に設けられている係合爪８３ｃと被係合部４０ｂとが係合しない不完全接続状態（図５，図６参照）においては、被係合部４０ｂの手前側の側面（図１における上側の側面）に摺接している係合爪８３ｃに反接続向き（図１における上向き）の力がはたらいてコネクタ部４から離れる向きにプラグ８が移動する。このため、プラグ８とコネクタ部４の接続が解除されて不完全接続状態が自動的に解消されることになる。なお、ロック片８３ｂの後端部を指で押してロック片８３ｂを揺動すれば、係合爪８３ｃと被係合部４０ｂとの係合が外れてロック解除されるから、プラグ本体８０を嵌合体４０から引き抜くことができる。
【００３４】
（実施形態２）
本実施形態の引掛シーリングアダプタは、図７に示すようにプラグ８に特徴があり、その他の構成は実施形態１とほぼ共通である。従って、実施形態１と共通の構成要素には同一の符号を付して適宜図示並びに説明を省略する。
【００３５】
本実施形態におけるプラグ８は、カバー２表面を支点として嵌合体４０との反嵌合向き（図７においては上向き）にプラグ本体８０を弾性付勢する弾性部材８４を具備した点に特徴がある。弾性部材８４は、プラグ８がコネクタ部４と接続されたときに操作部７１，７１を後方（図７においては上方）から覆う形でプラグ本体８０の後端部より延設された箱状の基部８４ａ，８４ａと、各基部８４ａ，８４ａにおける延出方向先端よりプラグ本体８０の先端側（図７においては下方）へ突出するばね片８４ｂ，８４ｂとが樹脂成形によってプラグ本体８０と一体に形成されたものである。ばね片８４ｂは、基部８４ａとの連結部位から離れるに従って外側に開くように傾斜するとともに、カバー２表面に当接する先端部分が外向きに屈曲している。
【００３６】
次に、引掛シーリングアダプタのコネクタ部４にプラグ８を接続する際の動作についてさらに詳しく説明する。プラグ本体８０を嵌合体４０内に挿入すると、コネクタ部４のコンタクト４１，４１がプラグ８のコンタクト受け８１，８１と接触する前に、ばね片８４ｂ，８４ｂの先端部がカバー２表面に当接してばね片８４ｂ，８４ｂが僅かに撓み（図８参照）、係合爪８３ｃが被係合部４０ｂの頂点を乗り越える少し手前でコンタクト４１，４１とコンタクト受け８１，８１が接触し始める。さらにプラグ本体８０を押し込んで係合爪８３ｃが被係合部４０ｂを乗り越えれば、係合爪８３ｃが被係合部４０ｂと係合し、コネクタ部４に対してプラグ８が抜け止めされる（図９参照）。ここで、プラグ８をコネクタ部４から外さずに操作部７１，７１を操作して器具本体１０１を引掛シーリングアダプタ１から取り外してしまうとプラグ８に無理な力が加わって断線等の不具合が生じる虞があるが、本実施形態では、図９に示すようにプラグ８をコネクタ部４に接続している状態では操作部７１，７１が弾性部材８４の基部８４ａに覆われるために操作することができないから、プラグ８をコネクタ部４から外さずに操作部７１，７１が操作される虞がない。
【００３７】
而して、ばね片８４ｂ，８４ｂのばね力によってプラグ本体８０が嵌合体４０との反嵌合向きに弾性付勢されるので、プラグ８に設けられている係合爪８３ｃと被係合部４０ｂとが係合しない不完全接続状態（図８参照）においてはコネクタ部４から離れる向きにプラグ８が移動する。このため、プラグ８とコネクタ部４の接続が解除されて不完全接続状態が自動的に解消されることになる。また、器具本体１０１を水平に押し上げなかったために片側の係止部材５の係止爪５０ａのみがホルダ２１０の被係止部２１３に係止された不完全な取付状態においては（図１１参照）、図１０に示すように被係止部２１３に係止されていない係止部材５の操作部７１先端に弾性部材８４の基部８４ａ先端が当接するためにプラグ８をコネクタ部４に接続することはできない。その結果、安定器に給電されずに点灯しないことで照明器具が正しく取り付けられていないことを使用者が容易に認識できる。
【００３８】
ところで、上述のように器具本体１０１を水平に押し上げなかったために片側の係止部材５の係止爪５０ａのみがホルダ２１０の被係止部２１３に係止された不完全な取付状態においては、図１１に示すように周壁１１の下端部分がホルダ２１０の内周面に当接して内側に撓み、その結果、照明器具（ホルダ２１０）が引掛シーリングアダプタ１から脱落してしまう虞がある。これに対して本実施形態では、周壁１１におけるカバー２表面よりも突出している一対の部位（窓孔１２，１２の下方に位置する部位）について、当該部位に当接して支持する支持部２４，２４をカバー２に設けている。従って、上述のような不完全な取付状態においても、図１１に示すようにカバー２に設けた支持部２４，２４で内側から支持することにより周壁１１の下端部分（窓孔１２，１２の下方に位置する部位）がホルダ２１０の内周面に当接して内側に撓むのを抑え、その結果、不完全な取付状態にある照明器具が脱落してしまうのを防ぐことができる。
【００３９】
なお、本発明に係る照明器具は、例えばホルダを具備した器具本体と、器具本体に設けられてプラグ８を介して給電される安定器と、器具本体に設けられ且つランプが着脱自在に装着されるとともに安定器から給電される電力をランプに供給するソケットとを備えている。但し、かかる構成を有した照明器具は従来周知であるから、図示並びに詳細な説明は省略する。
【図面の簡単な説明】
【００４０】
【図１】本発明に係る引掛シーリングアダプタの実施形態１を示し、（ａ）はコネクタ部とプラグが接続された状態を下面側から見た部分断面斜視図、（ｂ）はコネクタ部とプラグが接続された状態の一部省略した部分断面斜視図である。
【図２】同上の分解斜視図である。
【図３】同上における引掛シーリングアダプタの一部省略した断面図である。
【図４】同上における引掛シーリングアダプタを示し、（ａ）はカバーと移動部材を取り除いた状態の斜視図、（ｂ）はカバーを取り除いた状態の斜視図である。
【図５】コネクタ部とプラグの接続途中の状態を示す一部省略した部分断面斜視図である。
【図６】コネクタ部とプラグの接続途中の状態を示す一部省略した部分断面斜視図である。
【図７】本発明に係る引掛シーリング仇豚の実施形態２を示し、コネクタ部とプラグを接続していない状態を下面側から見た斜視図である。
【図８】同上におけるコネクタ部とプラグの接続途中の状態を示し、（ａ）は下面側から見た斜視図、（ｂ）は下面側から見た部分断面斜視図である。
【図９】同上におけるコネクタ部とプラグが接続された状態を示し、（ａ）は下面側から見た斜視図、（ｂ）は下面側から見た部分断面斜視図である。
【図１０】同上の不完全な取付状態における下面側から見た部分断面斜視図である。
【図１１】同上の引掛シーリングアダプタと照明器具の不完全な取付状態を示す一部省略した断面図である。
【図１２】従来の引掛シーリングアダプタを示す分解斜視図である。
【図１３】同上を示し、（ａ）は上方から見た斜視図、（ｂ）は下方から見た斜視図である。
【符号の説明】
【００４１】
１  器体
２  カバー
３  引掛刃
４  コネクタ部
８  プラグ
４０  嵌合体
４０ｂ  被係合部
８０  プラグ本体
８３ｃ  係合爪
【図１】
2008047359.tif 000003
【図２】
2008047359.tif 000004
【図３】
2008047359.tif 000005
【図４】
2008047359.tif 000006
【図５】
2008047359.tif 000007
【図６】
2008047359.tif 000008
【図７】
2008047359.tif 000009
【図８】
2008047359.tif 000010
【図９】
2008047359.tif 000011
【図１０】
2008047359.tif 000012
【図１１】
2008047359.tif 000013
【図１２】
2008047359.tif 000014
【図１３】
2008047359.tif 000015